(57)【要約】【課題】燃料電池の排熱を、省エネルギ性を向上するのに十分な程度に利用することが出来て、燃料電池自体の運転の継続を阻害してしまうことが無く、暖房需要に応じて暖房機器（例えば床暖房）を運転することが出来る様な暖房システム及びその制御方法の提供の提供。【解決手段】暖房器具（４）から戻る温水温度が目標温度（例：４０℃）以下である場合に、燃焼装置（３１）の燃焼に先立って、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を行う制御を実行する様に構成されている。【選択図】図２
2006349301.tif 000002
【特許請求の範囲】
【請求項１】
排熱貯蔵装置と、熱源機と、暖房器具とを有しており、該熱源機は、温水を暖房器具に循環供給する配管系と、燃焼装置と、排熱貯蔵装置からの排熱を投入するための熱投入手段とを備えており、排熱貯蔵装置からの排熱の投入や暖房器具への温水の供給を制御する制御装置を有しており、該制御装置は、暖房器具から戻る温水温度が目標温度以下である場合に、燃焼装置の燃焼に先立って、前記熱投入手段を介して排熱貯蔵装置からの排熱が投入された温水を暖房器具に供給する運転を行う制御を実行する様に構成されていることを特徴とする暖房システム。
【請求項２】
前記制御装置は暖房器具コントローラと接続しており、該暖房器具コントローラにより設定された暖房器具使用開始時刻の一定時間前から、燃焼装置を稼動せずに、前記熱投入手段を介して排熱貯蔵装置からの排熱が投入された温水を暖房器具に供給する運転を行う制御を実行する様に構成されている請求項１の暖房システム。
【請求項３】
前記制御装置は、排熱貯蔵装置からの排熱が投入された温水を暖房器具に供給する運転開始後、暖房器具から戻った温水の温度が目標設定温度以上であるか、或いは、当該運転が目標時間継続したならば、前記熱投入手段を介して排熱貯蔵装置からの排熱が投入された温水を暖房器具に供給する運転を停止して、燃焼装置を燃焼して熱源機内の温水を加熱する運転に移行する制御を行う様に構成されている請求項１、２の何れかの暖房システム。
【請求項４】
前記制御装置は、燃焼装置を稼動して熱源機内の温水を加熱する運転に際して、温水温度が排熱利用運転可能な温度に移行した場合、暖房器具から戻った温水の温度が目標設定温度以下となった状態が一定時間経過するか、或いは、温水温度が排熱利用運転可能な温度に移行してから所定時間が経過した後に、前記熱投入手段を介して排熱貯蔵装置からの排熱が投入された温水を暖房器具に供給する運転を行う様に構成されている請求項１〜３の何れか１項の暖房システム
【請求項５】
前記制御装置は、前記熱投入手段を介して排熱貯蔵装置からの排熱が投入された温水を暖房器具に供給する運転の際に、暖房器具へ供給される温水の温度が排熱利用運転可能な前記温度以下であり、且つ、燃焼装置の燃焼を開始する温度を上回る状態が、一定時間継続した場合には、前記熱投入手段を介して排熱貯蔵装置からの排熱が投入された温水を暖房器具に供給する運転を停止するか、或いは、排熱供給量を減少させる制御を実行する様に構成されている請求項１〜４の何れか１項の暖房システム。
【請求項６】
前記制御装置は、前記熱投入手段を介して排熱貯蔵装置からの排熱が投入された温水を暖房器具に供給する運転に移行した後、熱源機内の温水を暖房器具へ供給する複数の配管系に各々介装されている低温熱動弁の内で暖房運転が行われている配管系に介装されている低温熱動弁を常時開放状態にせしめ、暖房ポンプの発停によって温水の間欠循環を行う様に構成されている請求項１〜５の何れか１項の暖房システム。
【請求項７】
前記制御装置は、前記熱投入手段を介して排熱貯蔵装置からの排熱が投入された温水を暖房器具に供給する運転に移行した後、熱源機内の温水を暖房器具へ供給する複数の配管系に各々介装されている低温熱動弁の内で暖房運転が行われている配管系に介装されている低温熱動弁を常時開放状態にせしめ、暖房器具に供給される温水の設定温度を低下させる制御を行う様に構成されている請求項１〜６の何れか１項の暖房システム。
【請求項８】
前記制御装置は、熱源機内の温水を暖房器具へ供給する複数の配管系に各々介装されている低温熱動弁の内で暖房運転が行われている配管系に介装されている低温熱動弁を常時開放状態にせしめた後に、前記熱投入手段を介して排熱貯蔵装置からの排熱が投入された温水を暖房器具に供給する運転に移行し、暖房器具に供給される温水の設定温度を低下させる制御を行う様に構成されている請求項１〜７の何れか１項の暖房システム。
【請求項９】
前記制御装置は、燃焼装置を稼動して行う温水温度制御から前記熱投入手段を介して排熱貯蔵装置からの排熱が投入された温水を暖房器具に供給する運転に移行した後、暖房器具へ供給される温水の温度が、排熱利用運転可能な前記温度以下である状態が一定時間継続した場合に、前記熱投入手段を介して排熱貯蔵装置からの排熱が投入された温水を暖房器具に供給する運転を中止する制御を行う様に構成されている請求項１〜８の何れか１項の暖房システム。
【請求項１０】
排熱利用運転可能な前記温度が３５℃〜４５℃である請求項１〜９の何れか１項の暖房システム。
【請求項１１】
請求項１の暖房システムの制御方法において、暖房器具から戻る温水温度を計測する工程と、暖房器具から戻る温水温度が目標温度以下である場合に、燃焼装置の燃焼に先立って、前記熱投入手段を介して排熱貯蔵装置からの排熱が投入された温水を暖房器具に供給する運転を行う工程、とを有していることを特徴とする暖房システムの制御方法。
【請求項１２】
暖房器具コントローラにより設定された暖房器具使用開始時刻の一定時間前であるか否かを判断する工程と、当該暖房器具使用開始時刻の一定時間前になったならば、燃焼装置を燃焼せずに、前記熱投入手段を介して排熱貯蔵装置からの排熱が投入された温水を暖房器具に供給する運転を行う工程、とを有している請求項１１の暖房システムの制御方法。
【請求項１３】
排熱貯蔵装置からの排熱が投入された温水を暖房器具に供給する運転開始後、暖房器具から戻った温水の温度或いは当該運転の運転時間を計測する工程と、暖房器具から戻った温水の温度が目標設定温度以上であるか、或いは、当該運転が目標時間継続したならば、前記熱投入手段を介して排熱貯蔵装置からの排熱が投入された温水を暖房器具に供給する運転を停止して、燃焼装置を燃焼して熱源機内の温水を加熱する運転に移行する工程、とを有する請求項１１、１２の何れかの暖房システムの制御方法。
【請求項１４】
燃焼装置を稼動して熱源機内の温水を加熱する運転に際して、温水温度が排熱利用運転可能な温度に移行したか否かを判定する工程と、温水温度が排熱利用運転可能な温度に移行した場合に、暖房器具から戻った温水の温度が目標設定温度以下となった状態が一定時間経過するか、或いは、温水温度が排熱利用運転可能な温度に移行してから所定時間が経過したか否かを判定する工程と、暖房器具から戻った温水の温度が目標設定温度以下となった状態が一定時間経過するか、或いは、温水温度が排熱利用運転可能な温度に移行してから所定時間が経過した後に、前記熱投入手段を介して排熱貯蔵装置からの排熱が投入された温水を暖房器具に供給する運転を行う工程、とを有している請求項１１〜１３の何れか１項の暖房システムの制御方法。
【請求項１５】
前記熱投入手段を介して排熱貯蔵装置からの排熱が投入された温水を暖房器具に供給する運転の際に、暖房器具へ供給される温水の温度を計測する工程と、該温水温度が、排熱利用運転可能な前記温度以下で且つ燃焼装置の燃焼を開始する温度を上回る状態となった場合にその継続時間を計測する工程と、係る継続時間が一定時間継続した場合には、前記熱投入手段を介して排熱貯蔵装置からの排熱が投入された温水を暖房器具に供給する運転を停止するか、或いは、排熱供給量を減少させる工程、とを有する請求項１１〜１４の何れか１項の暖房システムの制御方法。
【請求項１６】
前記熱投入手段を介して排熱貯蔵装置からの排熱が投入された温水を暖房器具に供給する運転に移行した後に、熱源機内の温水を暖房器具へ供給する複数の配管系に各々介装されている低温熱動弁の内で暖房運転が行われている配管系に介装されている低温熱動弁を常時開放状態にせしめ、暖房ポンプの発停によって温水の間欠循環を行う工程、を有する請求項１１〜１５の何れか１項の暖房システムの制御方法。
【請求項１７】
前記熱投入手段を介して排熱貯蔵装置からの排熱が投入された温水を暖房器具に供給する運転に移行した後に、熱源機内の温水を暖房器具へ供給する複数の配管系に各々介装されている低温熱動弁の内で暖房運転が行われている配管系に介装されている低温熱動弁を常時開放状態にせしめ、暖房器具に供給される温水の設定温度を低下させる制御を行う工程を有している請求項１１〜１６の何れか１項の暖房システムの制御方法。
【請求項１８】
熱源機内の温水を暖房器具へ供給する複数の配管系に各々介装されている低温熱動弁の内で暖房運転が行われている配管系に介装されている低温熱動弁を常時開放状態にせしめた後に、前記熱投入手段を介して排熱貯蔵装置からの排熱が投入された温水を暖房器具に供給する運転に移行し、暖房器具に供給される温水の設定温度を低下させる制御を行う工程を有している請求項１１〜１７の何れか１項の暖房システムの制御方法。
【請求項１９】
燃焼装置を稼動して行う温水温度制御運転から前記熱投入手段を介して排熱貯蔵装置からの排熱が投入された温水を暖房器具に供給する運転に移行した後、暖房器具へ供給される温水の温度を計測する工程と、該温水温度が、排熱利用運転可能な前記温度以下である状態の継続時間を計測する工程と、該継続時間が一定時間以上である場合に、前記熱投入手段を介して排熱貯蔵装置からの排熱が投入された温水を暖房器具に供給する運転を停止する工程、とを有している請求項１１〜１８の何れか１項の暖房システムの制御方法。
【請求項２０】
排熱利用運転可能な前記温度が３５℃〜４５℃である請求項１１〜１９の何れか１項の暖房システムの制御方法。
【発明の詳細な説明】
【技術分野】
【０００１】
本発明は、例えば燃料電池の排熱、すなわち貯湯タンクに貯えられる温水を、床暖房の様な暖房器具で有効的に利用する技術に関する。
【背景技術】
【０００２】
熱機関の排熱、例えば燃料電池の貯湯タンクに貯えられた温水が保有する熱量を暖房（例えば床暖房）に利用する場合、床暖房で利用した後の戻り温水を貯湯タンクに戻すためには、燃料電池の冷却水として機能し得る一定温度（４０℃程度）以下の温度まで降温している必要がある。そのために、低温（４０℃程度）の往き温度で、温水を循環させる床暖房に対して、貯湯タンク内の温水を供給して、排熱利用することが望ましい（特許文献１参照）。
【０００３】
また、熱源機において潜熱回収熱交換器を備えている場合には、床暖房からの戻り温水を用いて排ガスを凝縮させているので、確実に排ガスを凝縮させて、潜熱回収の効率を向上するために、床暖房の戻り温水温度が３５℃程度まで低いことが好ましい。
【０００４】
一方、燃焼器により温水を加熱して、７０℃の温水、６０℃の温水、４０℃の温水が出湯可能な暖房回路（熱源機）を備え、暖房運転を行う従来技術も存在する（特許文献２参照）。
ここで、７０℃の温水は床暖房の起動時に使用されるので、起動時を「７０℃運転」と呼ぶことが多い。そして、４０℃の温水を用いる場合（いわゆる「４０℃運転」）は、燃焼器による加熱に代えて、燃料電池システムの貯湯タンク内の排熱を利用する運転（いわゆる「排熱利用運転」）が可能である。
【０００５】
しかし、４０℃の温水を供給して床暖房を行うのは、室温が安定する定常時に限定されるため、特に熱負荷が大きい場合等では、４０℃運転を継続出来る時間、換言すれば排熱利用運転が可能な時間帯が少ない、という問題が存在する。
そして排熱利用運転が可能な時間帯が少なければ、貯湯システムに蓄熱された熱（燃料電池システムにおける排熱）を床暖房の様な暖房システムで十分利用することが難しく、省エネルギ性向上の寄与率が低下してしまう。
【０００６】
また、燃焼器により温水を加熱する熱源機を備えている従来技術においては、暖房器具（例えば床暖房）の運転状態により排熱利用運転を行うか否かを判断する制御は行っておらず、４０℃運転を行うためのパラメータを適宜設定して、当該パラメータの数値によって排熱利用を開始するか否かを判断している。そのため、６０℃の温水を供給して床暖房を行う運転（いわゆる「６０℃運転」）から４０℃運転への過渡状態や、床暖房の系統変動時等に、床暖房からの戻り温水温度が目標温度（４０℃程度）まで低下せず、燃料電池の運転を継続させることが困難になる場合が存在する、という問題がある。
【０００７】
さらに、頻繁に熱源機の燃焼ＯＮ−ＯＦＦもしくは、床暖房低温熱動弁の開閉が繰り返されると、貯湯タンクへの温水戻り温度が安定せず、一定温度以下に維持することが難しい。
【０００８】
これに加えて、従来技術においては、熱源機において燃焼器による加熱を行うか否かについては床暖房戻り温水の排熱吸収後の温度をパラメータとしているので、当該温度（床暖房戻り温水の排熱吸収後の温度）が熱源機における加熱を行う温度（熱源機の点火温度：例えば３２℃）を上回った場合には、熱源機による温水の加熱がなされず、４０℃以下の温水が継続供給されてしまう。その結果、床温が低下し、床暖房の快適性を損なう可能性がある。
【特許文献１】特願２００３−３７３９０８号
【特許文献２】特願２００３−３９０２１８号
【発明の開示】
【発明が解決しようとする課題】
【０００９】
本発明は上述した従来技術の問題点に鑑みて提案されたものであり、燃料電池の排熱を、省エネルギ性を向上するのに十分な程度に利用することが出来て、燃料電池自体の運転の継続を阻害してしまうことが無く、暖房需要に応じて暖房機器（例えば床暖房）を運転することが出来る様な暖房システム及びその制御方法の提供を目的としている。
【課題を解決するための手段】
【００１０】
本発明の暖房システムは、排熱貯蔵装置（例えば、燃料電池ユニット１の貯湯タンク２）と、熱源機（３）と、暖房器具（例えば、床暖房４）とを有しており、該熱源機（３）は、温水を暖房器具（４）に循環供給する配管系（Ｌｃ）と、燃焼装置（例えばバーナー３１）と、排熱貯蔵装置（２）からの排熱（例えば、温水）を投入するための熱投入手段（第２の熱交換器Ｈｘ２）とを備えており、暖房器具（４）への温水の供給を制御する制御装置（中央処理ユニット５）を有しており、該制御装置（５）は、暖房器具（４）から戻る温水温度が目標温度（例：３５℃）以下である場合に、燃焼装置（３１）の燃焼に先立って、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を行う制御を実行する様に構成されていることを特徴としている（請求項１）。
【００１１】
ここで、暖房器具（４）から戻る温水温度が目標温度（例：３５℃）以下であるか否かの判定は、床暖房戻り配管の温度センサ（Ｔｈｒ）で計測された床暖房戻り温水温度に代えて、運転開始前の停止継続時間、制御手段（例えば、床暖房コントローラ７）のタイマー設定時刻、制御手段（例えば、床暖房コントローラ７）に設けられた室温センサで計測された室温（床暖房４が設けられた空間における室温）、の何れかを採用しても良い。
また、制御装置としては、暖房器具（例えば床暖房）が設けられた区画（例えば、建造物内の部屋）毎に設けられた遠隔操作手段（床暖房コントローラ７や、燃料電池リモコン６）であっても良いし、中央処理手段（中央処理コントローラ５）であっても良いし、中央処理手段（５）と遠隔操作手段（６，７）が各々制御装置として作動する様に構成されていても良い。そして、制御装置が中央処理手段である場合には、遠隔操作手段と情報的に接続して構成しても良い。
【００１２】
そして本発明の制御方法は、係る暖房システム（請求項１の暖房システム）の制御方法において、暖房器具（例えば、床暖房４）から戻る温水温度を計測する工程（Ｓ７）と、暖房器具（４）から戻る温水温度が目標温度（例：３５℃）以下である場合に、燃焼装置（３１）の燃焼に先立って、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を行う工程（Ｓ９）、とを有している（請求項１１）。
【００１３】
本発明において、前記制御装置は、暖房器具コントローラ（床暖房コントローラ７）と（情報的に）接続しており、暖房器具コントローラ（７）により設定された暖房器具使用開始時刻の一定時間前（例えば２０分前）から、燃焼装置（３１）を稼動せずに（燃焼装置３１の燃焼を禁止して）、前記熱投入手段（第２の熱交換器Ｈｘ２）を介して排熱貯蔵装置（２）からの排熱が投入された温水を暖房器具（例えば、床暖房４）に供給する運転を行う制御を実行する様に構成されているのが好ましい（請求項２）。
【００１４】
係る暖房システム（請求項２の暖房システム）の制御方法において、暖房器具コントローラ（７）により設定された暖房器具使用開始時刻の一定時間前（例えば２０分前）であるか否かを判断する工程（Ｓ３）と、当該暖房器具使用開始時刻の一定時間前（例えば２０分前）になったならば、燃焼装置（３１）を燃焼せずに（燃焼装置３１の燃焼を禁止する：Ｓ８）、前記熱投入手段（第２の熱交換器Ｈｘ２）を介して排熱貯蔵装置（２）からの排熱が投入された温水を暖房器具（例えば、床暖房４）に供給する運転を行う工程（Ｓ９）、とを有しているのが好ましい（請求項１２）。
【００１５】
本発明において、前記制御装置（中央処理コントローラ５）は遠隔操作装置（リモコン６，７）で操作可能であり、当該遠隔操作装置（リモコン６，７）に設けた入力装置（リモコンに設けた「排熱利用モードスイッチ」）を操作することにより、燃焼装置（３１）の燃焼に先立って、前記熱投入手段（第２の熱交換器Ｈｘ２）を介して排熱貯蔵装置（２）からの排熱が投入された温水を暖房器具（４）に供給する運転（排熱利用モードでの運転）の許可・不許可を設定可能な様に構成されているのが好ましい。
【００１６】
或いは、前記暖房器具（４）は時刻を指定して運転が開始される（タイマーで設定された時刻に運転が開始されるタイマー運転が可能な）様に構成されており、前記制御装置（５）は、暖房器具（４）の運転開始時刻として指定された時刻の一定時間（例：２０分）前から、燃焼装置（３１）の燃焼を禁止して排熱貯蔵装置（２）からの排熱が投入された温水を暖房器具（４）に供給する運転（排熱利用モードでの運転）を開始する様に構成されているのが好ましい。
【００１７】
本発明の暖房システムにおいて、前記制御装置（５）は、（燃焼装置３１の燃焼に先立って）排熱貯蔵装置（２）からの排熱が投入された温水を暖房器具（４）に供給する運転（排熱利用モードでの運転）開始後、暖房器具（４）から戻った温水の温度（床暖房戻り配管の温度センサＴｈｒで計測される床暖房戻り温水温度）が目標設定温度（例：３０℃）以上であるか、或いは、当該運転（排熱利用モード運転）が目標時間（例えば、２０分）継続したならば、前記熱投入手段（第２の熱交換器Ｈｘ２）を介して排熱貯蔵装置（２）からの排熱が投入された温水を暖房器具（４）に供給する運転（排熱利用モードでの運転）を停止して、燃焼装置（３１）を燃焼して熱源機（３）内の温水を加熱する運転（例：６０℃運転）に移行する制御を行う様に構成されているのが好ましい（請求項３）。
【００１８】
そして係る暖房システム（請求項３の暖房システム）の制御方法は、（燃焼装置３１の燃焼に先立って）排熱貯蔵装置（２）からの排熱が投入された温水を暖房器具（４）に供給する運転（排熱利用モードでの運転）開始後、暖房器具（４）から戻った温水の温度（床暖房戻り配管の温度センサＴｈｒで計測される床暖房戻り温水温度）或いは当該運転（排熱利用モード運転）の運転時間を計測する工程（Ｓ７、Ｓ１０）と、暖房器具（４）から戻った温水の温度（床暖房戻り配管の温度センサＴｈｒで計測される床暖房戻り温水温度）が目標設定温度（例：３０℃）以上であるか（Ｓ１１のＹ）、或いは、当該運転（排熱利用モード運転）が目標時間（例えば、２０分）継続したならば（Ｓ１０のＹ）、前記熱投入手段（第２の熱交換器Ｈｘ２）を介して排熱貯蔵装置（２）からの排熱が投入された温水を暖房器具（４）に供給する運転（排熱利用モードでの運転）を停止して、燃焼装置を燃焼して熱源機内の温水を加熱する運転（例：６０℃運転）に移行する工程（Ｓ１６、Ｓ１７、Ｓ２３）、とを有するのが好ましい（請求項１３）。
【００１９】
本発明の暖房システムにおいて、前記制御装置（５）は、燃焼装置（３１）を稼動して熱源機（３）内の温水を加熱する運転に際して、温水温度が排熱利用運転可能な温度に移行した場合（６０℃運転から４０℃運転に移行した場合）、暖房器具（４）から戻った温水の温度（床暖房戻り配管の温度センサＴｈｒで計測される床暖房戻り温水温度）が目標設定温度（例えば、３５℃）以下となった状態が一定時間（例：３０秒）経過するか、或いは、温水温度が排熱利用運転可能な温度に移行してから所定時間（例えば、３０秒）が経過した後に、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を行う様に構成されているのが好ましい（請求項４）。
【００２０】
係る暖房システム（請求項４の暖房システム）において、燃焼装置（３１）を稼動して熱源機（３）内の温水を加熱する運転に際して、温水温度が排熱利用運転可能な温度に移行したか否かを判定する工程（６０℃運転から４０℃運転に移行したか否かを判定する工程；Ｓ２４）と、温水温度が排熱利用運転可能な温度に移行した（６０℃運転から４０℃運転に移行した）場合に、暖房器具（４）から戻った温水の温度（床暖房戻り配管の温度センサＴｈｒで計測される床暖房戻り温水温度）が目標設定温度以下となった状態が一定時間（例：３０秒）経過するか（Ｓ２７のＹ）、或いは、温水温度が排熱利用運転可能な温度に移行してから所定時間（例えば、３０秒）が経過したか否かを判定する工程と、暖房器具（４）から戻った温水の温度が目標設定温度以下となった状態が一定時間経過するか、或いは、温水温度が排熱利用運転可能な温度に移行してから所定時間（例えば、３０秒）が経過した後に、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を行う工程（Ｓ２９）、とを有しているのが好ましい（請求項１４）。
【００２１】
本発明の実施に際して、暖房器具（４）へ温水を供給している温水系統（Ｌｃ６１〜Ｌｃ６３、図１参照）が１系統のみ（稼動しているのが１系統の床暖房のみ）であり、且つ、温水温度が排熱利用運転可能な温度である運転状態（４０℃運転）であることを検知してから、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行するのが好ましい。
【００２２】
或いは、暖房器具（４）へ温水を供給している温水系統（Ｌｃ６１〜Ｌｃ６３）の少なくとも１系統では、低温熱動弁（Ｖ３１〜Ｖ３３（図１参照）の少なくとも１つ）が常時開状態であり、且つ、温水温度が排熱利用運転可能な温度である運転状態（４０℃運転）であることを検知してから、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行するのが好ましい。
【００２３】
或いは、暖房器具（４）へ温水を供給している温水系統（Ｌｃ６１〜Ｌｃ６３）が１系統のみ（稼動しているのが１系統の床暖房のみ）であるか、或いは、全ての温水系統の低温熱動弁（Ｖ３１〜Ｖ３３）の開閉タイミングが同期しており、温水温度が排熱利用運転可能な温度である運転状態（４０℃運転）であることを検知してから、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行するのが好ましい。
【００２４】
本発明の暖房システムにおいて、前記制御装置（５）は、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）の際に、暖房器具（４）へ供給される温水の温度（床暖房往き温度）が排熱利用運転可能な前記温度（４０℃）以下であり、且つ、燃焼装置（３１）の燃焼を開始する温度（バーナー点火温度：例えば３４℃）を上回る状態が、一定時間（例：１０分）継続した場合には、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を停止するか、或いは、排熱供給量（循環流量等）を減少させる制御を実行する様に構成されているのが好ましい（請求項５）。
【００２５】
係る暖房システム（請求項５の暖房システム）の制御方法において、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）の際に、暖房器具（４）へ供給される温水の温度（床暖房往き温度）を計測する工程（Ｓ３０）と、該温水温度（床暖房往き温度）が、排熱利用運転可能な前記温度（４０℃）以下で且つ燃焼装置の燃焼を開始する温度（バーナー点火温度：例えば３４℃）を上回る状態となった場合にその継続時間を計測する工程（Ｓ３０）と、係る継続時間が一定時間（例：１０分）継続した場合（Ｓ３０のＹ）には、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を停止するか、或いは、排熱供給量（循環流量等）を減少させる工程、とを含むのが好ましい（請求項１５）。
【００２６】
本発明の暖房システムにおいて、前記制御装置（５）は、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行した後、熱源機（３）内の温水を暖房器具（４）へ供給する複数の配管系（Ｌｃ６１〜Ｌｃ６３）に各々介装されている低温熱動弁（Ｖ３１〜Ｖ３３）の内で暖房運転が行われている配管系に介装されている低温熱動弁を常時開放状態にせしめ、暖房ポンプ（Ｐ３）の発停によって温水の間欠循環を行う様に構成されているのが好ましい（請求項６）。
ここで、「暖房運転が行われている」とは、床暖房コントローラ（７）の様な制御装置により、暖房をする旨の指令が発生した旨を意味している。
【００２７】
係る暖房システム（請求項６の暖房システム）の制御方法において、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行した後に、熱源機（３）内の温水を暖房器具（４）へ供給する複数の配管系（Ｌｃ６１〜Ｌｃ６３）に各々介装されている低温熱動弁（Ｖ３１〜Ｖ３３）の内で暖房運転が行われている配管系に介装されている低温熱動弁を常時開放状態にせしめ、暖房ポンプ（Ｐ３）の発停によって温水の間欠循環を行う工程（Ｓ４０）、を有するのが好ましい（請求項１６）。
【００２８】
本発明の暖房システムにおいて、前記制御装置（５）は、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行した後、熱源機（３）内の温水を暖房器具（４）へ供給する複数の配管系（Ｌｃ６１〜Ｌｃ６３）に各々介装されている低温熱動弁（Ｖ３１〜Ｖ３３）の内で暖房運転が行われている配管系に介装されている低温熱動弁を常時開放状態にせしめ、暖房器具（４）に供給される温水（床暖房往き温水）の設定温度を低下させる制御を行う様に構成されているのが好ましい（請求項７）。
【００２９】
係る暖房システム（請求項７の暖房システム）の制御方法は、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行（Ｓ２９）した後に、熱源機（３）内の温水を暖房器具（４）へ供給する複数の配管系（Ｌｃ６１〜Ｌｃ６３）に各々介装されている低温熱動弁（Ｖ３１〜Ｖ３３）の内で暖房運転が行われている配管系に介装されている低温熱動弁を常時開放状態にせしめ（Ｓ４５）、暖房器具（４）に供給される温水（床暖房往き温水）の設定温度を低下させる制御を行う工程（Ｓ４６）を有しているのが好ましい（請求項１７）。
【００３０】
本発明の暖房システムにおいて、前記制御装置（５）は、熱源機（３）内の温水を暖房器具（４）へ供給する複数の配管系（Ｌｃ６１〜Ｌｃ６３）に各々介装されている低温熱動弁（Ｖ３１〜Ｖ３３）の内で暖房運転が行われている配管系に介装されている低温熱動弁を常時開放状態にせしめた後に、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行し、暖房器具（４）に供給される温水（床暖房往き温水）の設定温度を低下させる制御を行う様に構成されているのが好ましい（請求項８）。
【００３１】
係る暖房システム（請求項８の暖房システム）の制御方法は、熱源機（３）内の温水を暖房器具（４）へ供給する複数の配管系（Ｌｃ６１〜Ｌｃ６３）に各々介装されている低温熱動弁（Ｖ３１〜Ｖ３３）の内で暖房運転が行われている配管系に介装されている低温熱動弁を常時開放状態にせしめ（Ｓ４５）た後に、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行（Ｓ２９）し、暖房器具（４）に供給される温水（床暖房往き温水）の設定温度を低下させる制御を行う工程（Ｓ４６）を有しているのが好ましい（請求項１８）。
【００３２】
本発明の暖房システムにおいて、前記制御装置（５）は、燃焼装置（３１）を稼動して行う温水温度制御（例えば、４０℃運転）から（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行した後、暖房器具（４）へ供給される温水の温度（床暖房往き温度）が、排熱利用運転可能な前記温度（４０℃）以下である状態が一定時間継続した場合に、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を停止する制御を行う様に構成されているのが好ましい（請求項９）。
【００３３】
係る暖房システム（請求項９の暖房システム）の制御方法において、燃焼装置（３１）を稼動して行う温水温度制御運転（例えば、４０℃運転）から（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）に移行した後、暖房器具（４）へ供給される温水の温度（床暖房往き温度）を計測する工程（Ｓ５１）と、該温水温度（床暖房往き温度）が、排熱利用運転可能な前記温度（４０℃）以下である状態の継続時間を計測する工程（Ｓ５１）と、該継続時間（床暖房往き温度が４０℃以下である状態の継続時間）が一定時間以上である場合（Ｓ５１のＹ）に、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）を停止する工程（Ｓ３３）、とを含むことが好ましい（請求項１９）。
【００３４】
本発明の暖房システムにおいて、排熱利用運転可能な前記温度が３５℃〜４５℃であるのが好ましい（請求項１０）。
そして、上述した本発明の暖房システムの制御方法において、排熱利用運転可能な前記温度が３５℃〜４５℃であるのが好ましい（請求項２０）。
【発明の効果】
【００３５】
上述する構成を具備する本発明によれば、省エネ性向上を目的として、暖房器具（４）の稼動状態が安定した際に（例えば、床暖房４の４０℃運転時に）燃料電池（１）の排熱を利用した場合に、燃料電池（１）の冷却水の温度が昇温してしまうことを防止しつつ、暖房器具（例えば床暖房４）に一定温度以上の温水を供給して、燃料電池（１）の冷却水としての機能及び暖房器具（４）の快適性を両立させることが可能になる。
より具体的には、暖房器具（４）に排熱を利用して運転する際に（排熱利用モードでの運転時に）、貯湯タンク（２）への温水戻り温度を安定させることが容易になる。
【００３６】
また、暖房器具（例えば床暖房４）の起動時であって、暖房負荷が大きい（コールドスタートである）場合に、（燃焼装置３１の燃焼を禁止して）前記熱投入手段（第２の熱交換器Ｈｘ２）を介して排熱貯蔵装置（２）からの排熱が投入された温水を暖房器具（４）に供給する運転（排熱利用モードでの運転）が為されるので、燃料電池（１）の排熱を床暖房（４）に利用することが可能な時間帯が増加し、排熱の有効利用率が向上する。
そして、暖房器具（４）に排熱を利用する運転（排熱利用モードでの運転）が可能となった場合には、熱源機（３）で燃焼器（３１）により温水を加熱する運転（４０℃運転）から、直ちに当該運転（排熱利用モードでの運転）に移行することが出来る。
【００３７】
さらに、暖房器具（４）に排熱を利用する運転（排熱利用モードでの運転）が不適当な状態となった場合に、直ちに当該運転（排熱利用モードでの運転）を中止して、熱源機（３）で燃焼器（３１）により温水を加熱する運転に移行することが出来る。
【発明を実施するための最良の形態】
【００３８】
以下、添付図面を参照して、本発明の実施形態について説明する。
先ず、図１を参照して本発明の第１実施形態に係る暖房システムの構成を説明する。
【００３９】
第1実施形態に係る暖房システムは、大きなユニット単位としては、燃料電池ユニット１と、貯湯タンク２と、熱源機３と、床暖房４と、制御装置（中央処理ユニット）５とによって構成されている。
【００４０】
燃料電池ユニット１は第１の熱交換器Ｈｘ１を有しており、第１の熱交換器Ｈｘ１が排熱回収回路Ｌａを介して貯湯タンク２と循環可能に連通している。
すなわち、排熱回収回路Ｌａに介装された排熱回収水ポンプＰ１により、貯湯タンク２内の温水が冷却水（４０℃以下であるのが好ましい）として燃料電池ユニット１へ供給され、燃料電池ユニット１で加熱された冷却水が第１の熱交換器Ｈｘ１を介して排熱回収回路Ｌａにより貯湯タンク２へ戻される。
【００４１】
貯湯タンク２は成層式として構成されており、貯湯タンク２内の（高温の）温水を図示しない給湯設備に供給するための給湯回路Ｌｈに接続されている。
それと共に、貯湯タンク２内は循環路である排熱利用回路Ｌｂに接続しており、排熱利用回路Ｌｂは、該回路Ｌｂに介装された第２の熱交換器Ｈｘ２を介して、熱源機（暖房回路）３と熱的に連通している。
また、排熱利用回路Ｌｂには、開閉弁Ｖ２及び排熱利用ポンプＰ２が介装されている。
【００４２】
熱源機３は、バーナー３１と、膨張タンク（シスターン）３２と、暖房熱交換器３３と、暖房潜熱回収熱交換器３４と、これ等の機器を連通する配管（ラインＬｃ）とから構成されている。更に熱源機３は、複数の暖房器具（例えば床暖房：図１では、１つのみ図示）４と接続装置８を介して連通しており、暖房器具（床暖房）４に温水が供給される。
【００４３】
前記ラインＬｃを更に詳しく説明すると、各暖房器具４との接続装置８に接続された床暖房戻り配管Ｌｃ１に第２の熱交換器Ｈｘ２の一端が接続され、第２の熱交換器Ｈｘ２の他端には暖房潜熱回収熱交換３４を介装した配管Ｌｃ２が接続される。
配管Ｌｃ２は合流点Ｇ２で配管Ｌｃ３と合流し、配管Ｌｃ４となって膨張タンク（しスターン）３２に接続される。
膨張タンク３２からは暖房ポンプＰ３を介装した配管ＬＣ５で接続され、その配管Ｌｃ５は分岐点Ｂ１で配管ＬＣ６と、暖房熱交換器３３を介装した配管Ｌｃ７とに分岐する。
【００４４】
配管Ｌｃ６は、分岐点Ｂ４を経由した後、熱動弁Ｖ３１〜Ｖ３３を介した分岐管ＬＣ６１〜Ｌｃ６３から各暖房器具４に接続される。
配管Ｌｃ７は、分岐点Ｂ２、配管Ｌｃ８、分岐点Ｂ３、配管Ｌｃ９を経由して高温の用途に流れる。
【００４５】
前記配管Ｌｃ３は合流点Ｇ１において配管Ｌｃ１０と開閉弁Ｖ３を介装した配管Ｌｃ１１とに分岐し、配管Ｌｃ１０は分岐点Ｂ２に接続され、配管Ｌｃ１１は分岐点Ｂ３に接続されている。
前記暖房熱交換器３３と暖房潜熱回収熱交換器３４はバーナー３１によって加熱される。
【００４６】
貯湯タンク２内の温水は、排熱利用回路Ｌｂを流れる際に、その保有する熱量を、第２の熱交換器Ｈｘ２を介して、床暖房戻り温水（ラインＬｃの配管Ｌｃ１〜Ｌｃ２）へ投入する。貯湯タンク２に戻る温水の温度は、排熱利用回路Ｌｂにおける貯湯タンク直下に介装された「排熱利用系温度センサ（サーミスタ）Ｔｔ６」で計測される。
【００４７】
ここで、貯湯タンク２の成層状態を維持して、熱需要に対処するためにも、貯湯タンク２に戻る温水の温度、すなわち「排熱利用系温度センサ（サーミスタ）Ｔｔ６」で計測される温水温度は、一定であることが望ましい。
なお、図１において、符号Ｔｔ１〜Ｔｔ５は、成層式貯湯タンク２の各層の水温を計測するための温度センサである。又、符号Ｌｗは、貯湯槽２へ給水するための給水ラインを示す。
【００４８】
第２の熱交換器Ｈｘ２で加熱された床暖房戻り温水は、配管Ｌｃ２、暖房潜熱回収熱交換器３４、合流点Ｇ２、ラインＬｃ４を介して膨張タンク３２へ流入する。
膨張タンク３２の温水は、暖房ポンプＰ３を介装した配管（「往き」の配管）Ｌｃ５を流れ、分岐点Ｂ１、配管Ｌｃ６、分岐点Ｂ４、配管Ｌｃ６１、熱動弁Ｖ３１を経由して、各床暖房４に供給される。ここで、図１では単一の床暖房４のみを表記しているが、建造物の複数の区画（例えば部屋）に床暖房が設けられており、各床暖房４について１つの熱動弁Ｖ３１〜Ｖ３３が介装されている。
なお、膨張タンク３２から床暖房４に供給される温水温度は、往きの配管Ｌｃ５に介装した温度センサＴｈｆで計測される。
【００４９】
７０℃運転や６０℃運転、或いは排熱を利用せずに４０℃運転を行うために、温水をバーナー３１で加熱するべき場合には、膨張タンク３２の温水は、その一部が往きの配管Ｌｃ５の暖房ポンプＰ３下流の分岐点Ｂ１から分岐するラインＬｃ７を流れ、暖房熱交換器３３によりバーナー３１からの熱で加熱され、分岐点Ｂ２、配管Ｌｃ１０、及びＬｃ１１、Ｖ３、合流点Ｇ１を介して配管Ｌｃ３を流れ、膨張タンク３２に戻る。
【００５０】
そして、「往き」の配管Ｌｃ５に介装した温度センサＴｈｆで計測された温水温度を所定温度（４０℃）に維持する様にバーナー３１に投入する燃料流量を調整し、膨張タンク３２の温水は、配管Ｌｃ５、熱動弁Ｖ３１を介して、床暖房４へ供給される。暖房負荷が低下し、バーナー３１の燃焼継続が可能な最低燃料流量に調整しても所定温度（４０℃）を維持できない場合は、往きの配管Ｌｃ５に介装した温度センサＴｈｆで計測された温水温度をパラメータとして、バーナー３１の燃焼の点火・消火を繰り返す。
【００５１】
床暖房４において、暖房に用いられた温水（床暖房戻り温水）の温度は、配管（戻り）Ｌｃ１に介装した温度センサＴｈｒで計測される。そして、床暖房戻り温水は配管Ｌｃ１〜Ｌｃ２（戻り）を流れ、そこに介装された第２の熱交換器Ｈｘ２により燃料電池１の排熱（貯湯タンク２の温水が保有する熱量）が投入され、暖房潜熱回収熱交換器３４、合流点Ｇ２、配管Ｌｃ４を介して膨張タンク３２へ戻る。
【００５２】
燃料電池ユニット１、床暖房４、熱源機３の運転は、制御装置（中央処理ユニット）５により制御される。この制御装置５は、ユーザーの手許操作により燃料電池ユニット１の運転を行うための燃料電池リモコン６と、ユーザーの手許操作により床暖房運転を行うための床暖房コントローラ７と、制御的に接続されている。なお、制御装置５と燃料電池リモコン６及び床暖房コントローラ７との接続は、有線方式でも、無線方式でも良い。また、この制御装置５は、熱源機３の内部にあっても良い。
【００５３】
なお、燃料電池リモコン６２は排熱利用スイッチ６１が設けてある。また、図１において符号１００は貯湯タンク２と熱源機３及び制御手段である中央処理ユニット５から成る室外装置を示している。
【００５４】
次に、図２を参照して、本発明の第２実施形態について説明する。
図２の第２実施形態は、図１における制御装置（中央処理ユニット）５により実行される制御について特定した実施形態である。換言すれば、図２の第２実施形態におけるシステムとしての構成（機器の構成）は、図１の第１実施形態と同様である。
【００５５】
本明細書において、燃料電池ユニット１からの排熱（貯湯タンク２に貯えられた温水が保有する熱量、或いは、燃料電池ユニット１の発電中に回収される熱量）を床暖房４に利用する運転モード（床暖房温水往きの目標温度４０℃）を「排熱利用モード」と記載する。係る排熱利用モードにおいては、例えば、開閉弁Ｖ２は開放状態となり、排熱利用ポンプＰ２は駆動される。
【００５６】
ここで、図２〜図６のフローチャートにおいては、配管Ｌｃ５に介装した温度センサＴｈｆで計測された温水温度は４０℃であれば「排熱利用運転な温度である」と判定されるが、係る「排熱利用運転可能な温度」は３５℃〜４５℃の範囲で設定することが出来る。
【００５７】
先ず、図２のフローチャートで表現される制御の概要について説明する。
図１で示す様に、（４０℃出湯可能な）暖房回路（熱源機）３及び床暖房４への排熱利用回路Ｌｂを備える貯湯システムの制御を示す図２では、排熱利用モードは、燃料電池リモコン（図１の符号６）に設けた「排熱利用スイッチ」６１を押下した場合（ステップＳ２のＹ、或いは、ステップＳ２０のＹ）においてのみ行われる。すなわち、バーナー３１を燃焼させない排熱利用モードから床暖房４の運転を開始する場合には、「排熱利用スイッチ」６１を押下されている（ステップＳ２のＹ、或いは、ステップＳ２０のＹ）ことが前提となる。
【００５８】
また、図２においては、床暖房コントローラ７のタイマー運転設定時間の一定時間（例：２０分）前から、バーナー３１の燃焼に先立って、バーナー３１の燃焼を禁止して排熱利用モードで運転を開始する様に構成されている（ステップＳ３）。
【００５９】
さらに、図２における制御では、床暖房４がコールドスタートであれば、すなわち、床暖房４から熱源機３に戻る温水の温度（戻り温度）が目標温度（例：３５℃）以下に低下していれば、排熱利用モードで運転する。
【００６０】
そして、床暖房４から熱源機３に戻る温水の温度（戻り温度）が目標温度（例：３５℃）以下に低下しているか否かについては、暖房ポンプＰ３を一定時間（例えば３０秒）作動させた（熱源機３内で温水を循環：ステップＳ６）後、床暖房戻り配管Ｌｃ１に介装した温度センサＴｈｒで計測された温水温度から判定する（ステップＳ７）。すなわち、暖房ポンプＰ３を一定時間作動（ステップＳ６）させた後に、床暖房戻り配管Ｌｃ１に介装した温度センサＴｈｒで計測された温水温度が目標温度（例：３５℃）よりも低い状態が３０秒以上継続すれば（ステップＳ７のＹ）、バーナー３１を燃焼させない排熱利用モードでの運転を行う（ステップＳ８、Ｓ９）のである。
【００６１】
ここで、排熱利用モードで運転を行うか否かのパラメータとして、床暖房戻り配管Ｌｃ１に介装した温度センサＴｈｒで計測された床暖房戻り温水温度に代えて、
（１）  運転開始前の停止継続時間、
（２）  床暖房コントローラ７のタイマー設定時刻、
（３）  床暖房コントローラ７に設けられた室温センサで計測された室温（床暖房が設けられた空間における室温）、
の何れかを採用しても良い。
【００６２】
図２で示す制御において、排熱利用モード運転開始後（ステップＳ９以下）、次の条件（２−１）〜（２−３）の何れかに該当する場合には、バーナー３１による燃焼を禁止する排熱利用モードから、通常運転（例：６０℃運転）に移行する（Ｓ１６、Ｓ１７、Ｓ２３）。
（２−１）  排熱利用モードが目標時間（例えば、２０分）継続する（ステップＳ１０のＹ）。
（２−２）  床暖房戻り配管Ｌｃ１に介装した温度センサＴｈｒで計測される床暖房戻り温水温度が所定温度（例：３０℃）以上となる（ステップＳ１１のＹ）。
（２−３）  排熱利用回路Ｌｂから貯湯タンク２に戻る温水温度（排熱利用温度センサＴｔ６で計測）が所定温度（例えば３５℃）以上となる。
【００６３】
排熱利用モードから、通常運転（例：６０℃運転）に移行する場合（Ｓ１６、Ｓ１７、Ｓ２３）、排熱利用により床暖房４の予熱が完了しているため、床暖房４の立ち上がり時における７０℃運転は不要になる。
【００６４】
図２の制御では、４０℃運転から排熱利用モードに移行する場合、４０℃運転であることを検知し（Ｓ２５）、且つ、低温運転系統数（例えば、稼動している床暖房）が１系統のみである（換言すれば、１系統の低温熱動弁のみが常時開状態である）場合（ステップＳ２６のＹ）に行われる（４０℃運転から排熱利用モードに移行する）。
ここで、複数系統の要求温度を考慮すると、制御が複雑化するが、１系統の場合のみを対象とすれば、制御性が向上する。そのため、図２の制御では、床暖房４が１系統のみ稼動している場合を対象にしている。
なお、少なくとも１系統の低温熱動弁Ｖ３１〜Ｖ３３の何れかが常時開状態である場合の制御や、全系統低温熱動弁Ｖ３１〜Ｖ３３の開閉タイミングが同期している場合の制御等については、図３〜図６を参照して後述する。
【００６５】
また図２の制御では、床暖房４の運転が４０℃運転に移行した（ステップＳ２５）後、排熱利用モードに移行するにあたっては、床暖房戻り配管Ｌｃ１に介装した温度センサＴｈｒで計測される床暖房戻り温水温度と目標設定温度（例えば３５℃）とを比較する（ステップＳ２７）と共に、床暖房戻り温水温度が目標設定温度（例えば３５℃）以下になった状態が一定時間（例えば３０秒）継続したか否かを判定する（ステップＳ２７）。そして、床暖房戻り温水温度が目標設定温度（例えば３５℃）以下になった状態が一定時間（例えば３０秒）継続した場合（ステップＳ２７のＹの状態）のみ、排熱利用モードに移行する（ステップＳ２９）。
なお、係る判断（ステップＳ２７）に代えて、４０℃運転に移行してから目標設定時間（例えば３０秒）を経過した場合に、排熱利用モードに移行する様に構成しても良い。
【００６６】
図２において、排熱利用モードに移行（ステップＳ２９）した後、床暖房往きの配管Ｌｃ５の温度センサＴｈｆで計測された床暖房往き温水温度が４０℃以下であり、且つ、バーナー３１の点火温度（燃焼点：例えば３４℃）を上回る状態が一定時間（例：１０分）継続したか否かを判定し（ステップＳ３０）、床暖房往き温水温度が４０℃以下で且つバーナーの点火温度を上回る場合には（ステップＳ３０のＹ）排熱利用モードを停止している（ステップＳ３３）。
この様に構成すれば、排熱利用モードにおいて、床暖房往き温水温度が４０℃以下であっても、バーナー３１の点火温度を上回っているためバーナー３１が点火されず、床暖房４に必要な熱量が供給されない、という事態を回避することが出来る。
なお、図２では示されていないが、ステップＳ３０が「Ｙ」の場合に、排熱利用モードを停止するのに代えて、排熱供給量（排熱利用回路Ｌｂの温水循環流量等）を変化（増減）させる様に構成することも可能である。
【００６７】
次に、図２で示す制御を、フローチャートに従って、詳細に説明する。
ここで、ステップＳ１〜Ｓ１２、Ｓ１６は、床暖房４の起動運転以前に、貯湯タンク２の温水で予熱するルーチンである。
【００６８】
先ず、ステップＳ０１では、暖房立ち上げ以前に予熱として、貯湯槽２の温水で暖房器具（床暖房）４を暖めておく為に、予めタイマーで設定した時間に、床暖房４を運転するか否かを判断しており、タイマー設定してあれば（ステップＳ１のＹ）、燃料電池リモコン６の排熱利用スイッチ６１が入った状態（ＯＮ）か否かを判断する（ステップＳ２）。
【００６９】
燃料電池リモコン６の排熱利用スイッチ６１が入った状態（ＯＮ）であれば（ステップＳ２のＹ）、ステップＳ３に進む。ＯＮの状態でなければ（ステップＳ２のＮＯ）、ステップＳ１８に進む。そして、ステップＳ１８では運転設定時刻になるまで監視しており、設定時刻になれば（ステップＳ１８のＹＥＳ）、ステップＳ２１の「立ち上げ７０℃運転」に進む。
【００７０】
ここで、ステップＳ２１の「立ち上げ７０℃運転」は、ステップＳ０２の「床暖房コントローラ７のスイッチ操作」及びステップＳ２０の「排熱利用スイッチがＯＮ」が「Ｎ」である場合を経ても行われるが、ステップＳ０２とステップＳ２０の「Ｎ」とは、制御としては、「割り込み」に相当するルーチンである。
【００７１】
ステップＳ３に戻ると、係る工程（ステップＳ３）では、タイマー設定時刻の２０分前になったか否かをチェックしており、２０分前になったら（ステップＳ３のＹ）、全系統停止からの運転開始なのか否かを判断する（ステップＳ４）。
全系統停止からの運転開始でなければ（ステップＳ４のＮＯ）、ステップＳ１８を経由してステップＳ２１に進み、全系統停止からの運転開始であれば（ステップＳ４のＹＥＳ）、低温熱動弁Ｖ３１を開放して（ステップＳ５）、例えば３分経過後、暖房ポンプＰ３を作動（ステップＳ６）させる。
【００７２】
その後、床暖房戻り配管Ｌｃ１の温度センサＴｈｒで計測した温度が３５℃以下の状態が３０秒継続するまで監視しており（ステップＳ７）、温度センサＴｈｒで計測した温度が３５℃以下の状態が３０秒継続したら（ステップＳ７のＹＥＳ）、ステップＳ８に進み、「バーナー燃焼禁止フラグ＝１」を立て、バーナー３１の燃焼を禁止する。なお、「バーナー燃焼禁止フラグ」は「１」の場合はバーナー３１の燃焼を禁止し、「０」の場合にはバーナー３１の燃焼禁止を解除して、バーナー３１の燃焼を可能ならしめる。
【００７３】
一方、床暖房戻り配管Ｌｃ１の温度センサＴｈｒで計測した温度が３５℃以下の状態が３０秒継続しなければ（ステップＳ７のＮ）、ステップＳ１３で暖房ポンプＰ３をＯＦＦにした後、タイマーが設定状態となっているかを判断し（ステップＳ１４）、設定状態となっていれば（ステップＳ１４のＹ）、設定時刻になるまで待った後（ステップＳ１５のＹ）、ステップＳ２３に進む。
ステップＳ１４でタイマーが設定状態となっていなければ（ステップＳ１４のＮ）、そのままステップＳ２３に進む。
【００７４】
ここで、ステップＳ１４が「Ｎ」、ステップＳ１５が「Ｙ」の段階では、ステップＳ１〜Ｓ１２、Ｓ１６のルーチンにより、床暖房４の起動運転以前に予熱が為されている。そのため、ステップＳ２１、Ｓ２２の７０℃運転をスキップすることが出来る。
【００７５】
ステップＳ８では、補助熱源（バーナー）３１の燃焼を禁止し、排熱利用モードをＯＮとする（ステップＳ９）。その後、排熱利用モードに移行して２０分が経過したか否か判断して（ステップＳ１０）、経過していれば（ステップＳ１０のＹ）、ステップＳ１６に進み、経過していなければ（ステップＳ１０のＮ）、更に、床暖房戻り配管Ｌｃ１の温度センサＴｈｒで計測した温度が３０℃以上であるか否かを判断する（ステップＳ１１）。
【００７６】
温度センサＴｈｒで計測した温度が３０℃以上であれば（ステップＳ１１のＹ）、ステップＳ１６に進み、３０℃未満であれば（ステップＳ１１のＮ）、更に、排熱利用ラインＬｂの戻り配管の温度センサＴｔ６の温度が３５℃以上であるか否かを判断する（ステップＳ１２）。
温度センサＴｔ６の温度が３５℃以上であれば（ステップＳ１２のＹＥＳ）、ステップＳ１６に進み、温度センサＴｔ６の３５℃未満であれば（ステップＳ１２のＮＯ）、ステップＳ１０〜ステップＳ１２を繰り返す。
【００７７】
ステップＳ１６では、バーナー燃焼が可能となったことを示す「バーナー燃焼禁止フラグ＝０」を立て、以って、補助熱源（バーナー）３１の燃焼禁止を解除し、排熱利用モードをＯＦＦとし（ステップＳ１７）、ステップＳ２３に進む。
【００７８】
タイマーによる時刻設定とは無関係に床暖房コントローラを用いて床暖房を起動させる場合には、床暖房コントローラ７のスイッチを押し（ステップＳ０２）、燃料電池リモコン６の排熱利用スイッチ６１がＯＮの状態となっているか否かを判断し（ステップＳ２０）、排熱利用スイッチ６１がＯＮであれば（ステップＳ２０のＹ）ステップＳ４に進み、排熱利用スイッチ６１がＯＮでなければ（ステップＳ２０のＮ）、立ち上げ７０℃運転を開始する（ステップＳ２１）。
【００７９】
そして、立ち上げ７０℃運転を開始してから３０分経過するまで待機し（ステップＳ２２がＮＯ）、３０分経過したなら（ステップＳ２２のＹ）、ステップＳ２３に進む。
ステップＳ２３では、７０℃運転から６０℃運転に移行し、室温が安定するか否かを判断して（ステップＳ２４）、室温が安定したなら（ステップＳ２４のＹ）、４０℃運転を開始する（ステップＳ２５）。
【００８０】
そして、１系統のみの運転か否かを判断し（ステップＳ２６）、１系統のみの運転であれば（ステップＳ２６のＹ）、４０℃運転時の床暖房戻りの温度が３５℃以下であるか或いは４０℃運転が３０秒継続しているかを判断し（ステップＳ２７）、４０℃運転時の床暖房戻りの温度が３５℃以下であるか或いは４０℃運転が３０秒継続している場合（ステップＳ２７のＹ）は、前回の排熱利用モードＯＦＦから３０分以上経過しているか否かを判断し（ステップＳ２８）、３０分以上経過していれば（ステップＳ２８のＹ）、バーナー３１を燃焼して行う４０℃運転から排熱利用モードへ移行する（ステップＳ２９）。
ステップＳ２６〜ステップＳ２８の何れかがＮＯの場合は、ステップＳ２６以降を繰り返す。
【００８１】
なお、ステップＳ２６において、稼動している床暖房が１系統だけではない場合には、４０℃運転が続行される。ここで、６０℃運転を行わなければならない事態が生じたならば、本発明で説明する制御とは別途設けられている制御ルーチン（図示せず）が優先して、ステップＳ２６が「Ｎ」のループであっても、６０℃運転に移行する。
【００８２】
前記ステップＳ２８は、ハンチングを起こしている場合を緩衝する論理回路であり、排熱利用モードのＯＮ―ＯＦＦの頻繁な繰り返しを防止する趣旨で設けられている。
【００８３】
次のステップＳ２９では排熱利用モードをＯＮとし、床暖房「往き」の配管Ｌｃ５の温度センサＴｈｆの計測値が熱源機３のバーナー３１の点火温度を超え、且つ４０℃未満であるか否かを判断している（ステップＳ３０）。配管Ｌｃ５の温度センサＴｈｆの計測値が熱源機３のバーナー３１の点火温度を超え、且つ４０℃未満であれば（ステップＳ３０のＹ）、排熱利用モードを停止する（ステップＳ３３）。
一方、「配管Ｌｃ５の温度センサＴｈｆの計測値が熱源機３のバーナー３１の点火温度を超え、且つ４０℃未満」の条件を満たさない場合（ステップＳ３０のＮ）は、排熱利用戻りの温度（センサＴｔ６で計測される温度）が３５℃以上か否かを判断する（ステップＳ３１）。
【００８４】
排熱利用戻りの温度が３５℃以上であれば（ステップＳ３１のＹ）、ステップＳ３３に進む。
一方、３５℃未満であれば（ステップＳ３１のＮ）、再び、１系統のみの運転か否かを判断し（ステップＳ３２）、１系統のみの運転の場合（ステップＳ３２のＹ）、ステップＳ３０以降を繰り返す。一方、１系統のみの運転ではなく複数の床暖房運転が行われた場合（ステップＳ３２のＮ）には、ステップＳ３３に進む。
【００８５】
ステップＳ３３では、排熱利用モードをＯＦＦとした後、ステップＳ２６まで戻り、再びステップＳ２６以降を繰り返す。
【００８６】
ステップＳ３０〜Ｓ３２では明示されていないが、排熱利用モードに移行した（ステップＳ２９）後に、４０℃運転以外のモード（例えば、６０℃運転）に移行した場合も、排熱利用モードを脱する（ステップＳ３３）。
【００８７】
図２には図示されていないが、床暖房コントローラ７（図１）のスイッチを操作して床暖房４の運転を停止した場合、或いは、タイマーによって床暖房４の停止時刻が予め設定されており、当該設定時刻に到達した場合には、床暖房４の運転を停止する。
換言すれば、図２で示すフローチャートの裏側では、常に、「床暖房４の運転を停止するべく、床暖房コントローラ７のスイッチが操作されたか否か？」或いは「予め設定された床暖房運転停止時刻か否か？」という判断が為されており、係る判断に該当した場合には、図２で示すフローチャートのどの段階で運転がされていても、床暖房４の運転は停止されるのである。
【００８８】
次に、図３を参照して、本発明の第３実施形態について説明する。
図３の第３実施形態は、図２の第２実施形態と同様に、図１における制御装置により実行される制御について特定した実施形態である。従って、図３の第３実施形態におけるシステムとしての構成（機器の構成）も、図１の第１実施形態と同様である。
【００８９】
図２で示す制御では、４０℃運転から排熱利用モードに移行するに際して、制御性を向上させるために、１系統のみ床暖房４が稼動されている場合を前提にしているが（図２のステップＳ２６）、図３で示す制御では、少なくとも１系統の低温熱動弁（Ｖ３１〜Ｖ３３の何れか）が常時開となっている（或いは、少なくとも１系統の床暖房が稼動されている）場合に、排熱利用モードに移行する（図３のステップＳ２６Ａ）。
【００９０】
これに関連して、図２で示す制御では、複数系統の床暖房が稼動された場合に排熱利用モードから脱するが（図２のステップＳ３２のＹ）、図３の制御では、低温熱動弁Ｖ３１〜Ｖ３３（図１参照）が常時開である系統がゼロである場合（図３のステップＳ３２ＡのＹ）に、排熱利用モードから脱する（ステップＳ３３）。低温熱動弁Ｖ３１〜Ｖ３３が常時開である系統がゼロであれば、排熱が床暖房４で消費されないので、貯湯タンク２に戻る温水温度が低下せず、貯湯タンク２内の成層状態を壊してしまうからである。
その他の点については、図３の制御は図２の制御と同様である。
【００９１】
図４を参照して、本発明の第４実施形態について説明する。
図４の第４実施形態も、図１における制御装置により実行される制御について特定した実施形態であり、システムとしての構成（機器の構成）は図１の第１実施形態と同様である。
【００９２】
図４の制御では、図２の制御におけるステップＳ２６や、図３におけるステップＳ２６Ａとは異なり、４０℃運転から排熱利用モードへの移行が、１系統の床暖房のみが稼動していること、或いは、複数系統の熱動弁の開閉タイミングが同期していることが前提となる（図４のステップＳ２６ＢのＹ）。
また、図４の制御では、排熱利用モードにおいて、「１系統の床暖房のみが稼動している」という条件と、「複数系統の熱動弁の開閉タイミングが同期している」という条件の何れも満たさなくなった場合（図４のステップＳ３２ＢがＮ）には、排熱利用モードから脱する（ステップＳ３３）。
【００９３】
これに加えて、図４の制御では、排熱利用モードに移行（ステップＳ２９）した後、排熱利用モードから脱するか否かの判断を行う（ステップＳ３０、ステップＳ３１、ステップＳ３２Ｂ）以前の段階で、低温熱動弁Ｖ３１〜Ｖ３３の内で暖房運転が行われている配管系に介装されている低温熱動弁を常時開状態とし（ステップＳ４０）、暖房ポンプＰ３の発停によって温水の間欠循環を行う様にせしめている（ステップＳ４２）。
【００９４】
床暖房コントローラ７（図１）では、低温熱動弁開時間を（例えば２０分を１サイクルとして）設定し、或いは、室温と設定温度の偏差に応じて（１サイクル中における）低温熱動弁開時間を決定し、制御装置５（もしくは、熱源機３内の制御装置）に対して温水要求指令（熱動弁開閉指令）を送信する。例えば、負荷が大きい場合には、低温熱動弁Ｖ３１〜Ｖ３３を常時開状態とせしめ、負荷が小さい場合には、「８分開状態として、１２分閉状態とする」サイクルを繰り返す。
【００９５】
熱動弁Ｖ３１〜Ｖ３３の特性上、開閉指令を受けてから実際に動作終了するまでに時間遅れが生ずるため、負荷の有無について的確に判断することが困難である。そのため、実際には低温熱動弁Ｖ３１〜Ｖ３３が十分開いていない（負荷が低い）のにもかかわらず、排熱利用ポンプＰ２を稼動してしまい、その結果、貯湯タンク２への戻り温度（排熱利用温度センサＴｔ６で計測）を十分に降温出来ない可能性が生ずる。
これに対して、低温熱動弁Ｖ３１〜Ｖ３３（より正確には、低温熱動弁Ｖ３１〜Ｖ３３の内で暖房運転が行われている配管系に介装されている低温熱動弁）を常時開状態とせしめ、床暖房コントローラからの指令に応じて、制御装置５を介して暖房ポンプＰ３を発停させれば（ステップＳ４０）、排熱利用の有無は暖房ポンプＰ３のＯＮ―ＯＦＦで確実に制御されるので、応答性を改善させることが出来る。そのため、貯湯タンク２への戻り温度を十分に降温出来ないという事態を防止出来るのである。
【００９６】
さらに、低温熱動弁Ｖ３１〜Ｖ３３（より正確には、低温熱動弁Ｖ３１〜Ｖ３３の内で暖房運転が行われている配管系に介装されている低温熱動弁）を常時開状態とし、暖房ポンプＰ３の発停によって温水の間欠循環を行う様にすれば（ステップＳ４０）、熱動弁Ｖ３１〜Ｖ３３（暖房運転が行われている配管系に介装されている低温熱動弁）が開閉しないため、排熱利用回路Ｌｂから貯湯タンク２に戻る温水温度（排熱利用温度センサＴｔ６で計測）が一定となり、貯湯タンク２内の成層状態が壊れない、というメリットが存在する。
そして、貯湯タンク２内の成層状態が壊れなければ、熱需要に適正に対処することが出来ると共に、燃料電池ユニット１に対して適正な温度の冷却水を供給できる。
【００９７】
排熱利用モードから脱したならば（ステップＳ３３）、ステップＳ４０以降で低温熱動弁Ｖ３１〜Ｖ３３（より正確には、低温熱動弁Ｖ３１〜Ｖ３３の内で暖房運転が行われている配管系に介装されている低温熱動弁）を常時開状態として暖房ポンプＰ３の発停により間欠運転していた状態から、所定時間だけ低温熱動弁Ｖ３１〜Ｖ３３を開放し、別の所定時間だけ閉鎖する通常の間欠制御に戻す（ステップＳ４２）。
上述した操作を除けば、図４の制御は、図２或いは図３と同様である。
【００９８】
次に、図５を参照して、本発明の第５実施形態について説明する。
図５の第５実施形態も、図１における制御装置により実行される制御について特定した実施形態であり、システムとしての構成（機器の構成）は図１の第１実施形態と同様である。
【００９９】
図４の第４実施形態では、排熱利用モードに移行（ステップＳ２９）した後、低温熱動弁Ｖ３１〜Ｖ３３（より正確には、低温熱動弁Ｖ３１〜Ｖ３３の内で暖房運転が行われている配管系に介装されている低温熱動弁）を常時開状態とし、暖房ポンプＰ３の発停によって温水の間欠循環を行う様に構成されているが（図４のステップＳ４０）、図５の第５実施形態では、排熱利用モードに移行（ステップＳ２９）した後に、室温や設定に応じて低温熱動弁開時間を変化することに代えて、温水往き設定温度を低下させることにより（図５のステップＳ４５、Ｓ４６）、貯湯タンク２への戻り温度が十分に降温出来ないという事態を回避している。
【０１００】
図５において、４０℃運転から排熱利用モードに移行（ステップＳ２９）した後、低温熱動弁Ｖ３１〜Ｖ３３（より正確には、低温熱動弁Ｖ３１〜Ｖ３３の内で暖房運転が行われている配管系に介装されている低温熱動弁）を常時開状態とする様に設定する（ステップＳ４５）。そして、室温や設定に応じて低温熱動弁開時間を変化することに代えて、床暖房往き温水温度（床暖房往き配管Ｌｃ５の温度センサＴｈｆで計測される温水の温度）制御に移行する（ステップＳ４６）。
ステップ４６の制御を具体的に示すと、例えば、熱動弁Ｖ３１〜Ｖ３３の１つを「１９分開状態で１分閉状態」というサイクルは床暖房往き温水温度の「３９℃設定」に移行することが出来、「１５分開状態で５分閉状態」というサイクルは床暖房往き温水温度の「３７℃設定」に移行出来、「１１分開状態で９分閉状態」というサイクルは床暖房往き温水温度の「３５℃設定」に移行することが出来る。
【０１０１】
この様に、熱動弁の開閉サイクルの設定に代えて、床暖房往き温水温度（床暖房往きの配管Ｌｃ５の温度センサＴｈｆで計測される温水の温度）を室温・設定温度に最適な所定値に設定する（低下させる）ことにより、常に一定値以上の負荷を維持することが可能になり、貯湯タンク２への戻り温度（排熱利用温度センサＴｔ６で計測）が安定する。そのため、貯湯タンク２への戻り温度を十分に降温出来ないという事態を防止出来るのである。
バーナーの燃焼によって加熱する場合は、温水温度を下げることによって、熱交換器に結露が発生する可能性があるため、床暖房往き温水温度を一定値（４０℃）以下に温度を設定することが難しい。排熱利用による加熱の場合には、その恐れが無いため、さらに温度低下させることが可能である。
【０１０２】
なお、ステップＳ４５〜Ｓ４７の操作を行うことに基づき、図５の制御では、図４のステップＳ３０、Ｓ３１に相当する制御は行わない。
図４の制御では、排熱利用モードにおいて、「１系統の床暖房のみが稼動している」という条件と、「複数系統の熱動弁の開閉タイミングが同期している」という条件の何れも満たさなくなった場合（図４のステップＳ３２ＢがＮ）には、排熱利用モードから脱している。これに対して図５の制御では、排熱利用モードにおいて、「１系統の床暖房のみが稼動している」という条件と、「全系統の温水要求温度が同一である」という条件の何れも満たさなくなった場合（図５のステップＳ３２ＢがＮ）には、排熱利用モードから脱している（図５のステップＳ３３）点で、図４の制御とは相違している。
上述した点を除けば、図５で示す制御は、図４で示す制御と同様である。
【０１０３】
図５で示す制御においては、排熱利用モードに移行（ステップＳ２９）した後、低温熱動弁Ｖ３１〜Ｖ３３を常時開状態として（ステップＳ４５）から、床暖房往き温水温度（温度センサＴｈｆで計測される温水温度）制御に移行している（ステップＳ４６）が、低温熱動弁Ｖ３１〜Ｖ３３（より正確には、低温熱動弁Ｖ３１〜Ｖ３３の内で暖房運転が行われている配管系に介装されている低温熱動弁）を常時開状態とした（ステップＳ４５）後に、排熱利用モードに移行（ステップＳ２９）し、温水往き設定温度を（温度センサＴｈｆで計測される温水温度）制御に移行する様に構成しても良い。
【０１０４】
次に、図６を参照して、本発明の第６実施形態について説明する。
図６の第６実施形態も、図１における制御装置により実行される制御について特定した実施形態であり、システムとしての構成（機器の構成）は図１の第１実施形態と同様である。
【０１０５】
図６の制御では、バーナー３１の燃焼による温水温度制御（４０℃運転）から排熱利用モードに移行する場合、排熱利用モードへ移行する（ステップＳ２９）に先立って、バーナー３１の燃焼を禁止する（ステップＳ５０）。そして、排熱利用モードへ移行（ステップＳ２９）した後、低温熱動弁Ｖ３１〜Ｖ３３（より正確には、低温熱動弁Ｖ３１〜Ｖ３３の内で暖房運転が行われている配管系に介装されている低温熱動弁）を常時開状態として暖房ポンプＰ３の発停によって温水の間欠循環を行う様にせしめた（ステップＳ４０）のち、床暖房温度往き温度（床暖房温度往き温度センサＴｈｆで計測）が４０℃以下である状態が一定時間、例えば５分継続したか否かを判定する（ステップＳ５１）。
【０１０６】
床暖房温度往き温度が４０℃以下である状態が５分継続した場合には（ステップＳ５１のＹ）、排熱利用モードから脱出し（ステップＳ３３）、バーナー燃焼禁止状態から脱する（ステップＳ５２）。
上述した点を除けば、図６で示す制御は、図４で示す制御と同様である。
【０１０７】
図７は、本発明の第７実施形態に係る暖房システムを示す。
図１の第１実施形態では、床暖房戻り温水は第２の熱交換器Ｈｘ２で貯湯タンク２内の温水が保有する熱量が投入された後に暖房潜熱回収熱交換器３４へ流れるが、上述した様に、確実に排ガスを凝縮させて、潜熱回収の効率を向上するためには、暖房潜熱回収熱交換器３４へ流入する床暖房の戻り温水温度は出来る限り低いことが望ましい。
【０１０８】
そこで、図７の第７実施形態では、床暖房戻り温水は第２の熱交換器Ｈｘ２を流過する前に暖房潜熱回収熱交換器３４を流れ、排ガスを凝縮させた後に、第２の熱交換器Ｈｘ２で貯湯タンク２内の温水と熱交換器を行う（貯湯タンク２内の温水が保有する熱量を投入される）様に構成されている。
詳細には、床暖房４との接続装置８に一端が接続された戻り配管Ｌｃ４１に暖房潜熱回収熱交換器３４が介装され、その配管Ｌｃ４１の他端が第２の熱交換器Ｈｘ２の一端に接続されている。
一方、第２の熱交換器Ｈｘ２の他端に接続された配管Ｌｃ４２が合流点Ｇ２と接続されている。
【０１０９】
排熱利用回路Ｌｂ１１、Ｌｂ１２は、排熱回収回路の往路Ｌａ１１、復路Ｌａ１２に夫々介装された三方弁Ｖ２０、Ｖ２１と接続されている。
即ち、排熱利用回路Ｌｂ１１は三方弁Ｖ２０と第２の熱交換器Ｈｘ２の入口とに接続され、排熱利用回路Ｌｂ１２は三方弁Ｖ２１と第２の熱交換器Ｈｘ２の出口とに接続されている。
【０１１０】
この様に構成すれば、発電中に回収した排熱のみを利用することが可能になる。また、暖房潜熱回収熱交換器３４へ流れる床暖房戻り温水温度は図１の場合に比較して確実に低温となるので、暖房潜熱回収熱交換器３４で確実に排ガスを凝縮させて、潜熱回収の効率を向上することが出来る。
【０１１１】
ここで、図７の変形として、排熱利用回路Ｌｂ上にバーナーを搭載し、第２の熱交換器Ｈｘ２を膨張タンク３２の下流側に配置することが可能である（図示は省略）。
【０１１２】
図７のシステムの制御については、図１の暖房システムの制御について説明した図２〜図６の第２実施形態〜第６実施形態を、そのまま適用することが可能である。
その他の構成及び作用効果について、図７の第７実施形態は、図１の第１実施形態と同様である。
【０１１３】
図示の実施形態はあくまでも例示であり、本発明の技術的範囲を限定する趣旨の記述ではない旨を付記する。
【図面の簡単な説明】
【０１１４】
【図１】本発明の第１実施形態に係る暖房システムの構成図。
【図２】本発明の第２実施形態に係る暖房システムの制御方法を示したフローチャート。
【図３】本発明の第３実施形態に係る暖房システムの制御方法を示したフローチャート。
【図４】本発明の第４実施形態に係る暖房システムの制御方法を示したフローチャート。
【図５】本発明の第５実施形態に係る暖房システムの制御方法を示したフローチャート。
【図６】本発明の第６実施形態に係る暖房システムの制御方法を示したフローチャート。
【図７】本発明の第７実施形態に係る暖房システムの構成図。
【符号の説明】
【０１１５】
１・・・燃料電池ユニット
２・・・貯湯タンク
３・・・熱源機
４・・・暖房器具／床暖房装置
５・・・制御手段／中央処理システム
６・・・燃料電池リモートコントローラ
７・・・床暖房コントローラ
８・・・接続装置
３１・・・バーナー
３２・・・膨張タンク
３３・・・暖房熱交換器
３４・・・暖房潜熱回収熱交換器
Ｈｘ２・・・第２の熱交換器
Ｌａ・・・排熱回収回路
Ｌｂ・・・排熱利用回路
Ｌｃ・・・暖房温水回路
Ｐ１・・・排熱回収ポンプ
Ｐ２・・・排熱利用ポンプ
Ｐ３・・・暖房ポンプ
Ｖ３１〜Ｖ３３・・・熱動弁
１００・・・室外装置
Ｔｈｆ、Ｔｈｒ、Ｔｔ１〜Ｔｔ６・・・温度センサ
【図１】
2006349301.tif 000003
【図２】
2006349301.tif 000004
【図３】
2006349301.tif 000005
【図４】
2006349301.tif 000006
【図５】
2006349301.tif 000007
【図６】
2006349301.tif 000008
【図７】
2006349301.tif 000009